(57)【要約】【課題】携帯可能な電子機器に搭載される電池の容量劣化を軽減するための技術を提供する。【解決手段】電子機器１０は、複数の電池（第１の電池、第２の電池）および充放電制御部を備える。電子機器１０は、ディスプレイ１４２にアイコン５２を表示して、電子機器１０が搭載する複数の電池の残量を視覚的に表示する。電子機器１０は、第１及び第２の電池のいずれかをプライマリ電池と設定し、他方をセカンダリ電池と設定して、充電の都度、プライマリ電池となる電池と、セカンダリ電池となる電池の充電を制御する。電子機器１０は、プライマリ電池を満充電とし、セカンダリ電池を満充電に満たない電圧まで充電する。電子機器１０は、放電時に、プライマリ電池とされた電池を優先して放電させる。電子機器１０は、プライマリ電池とする電池の設定変更を、複数の電池の充電制御の際に行う。【選択図】図２
2016144256.tif 000002
【特許請求の範囲】
【請求項１】
電子機器であって、
複数の電池と、
前記複数の電池の充電と放電とを制御する充放電制御部とを備え、
前記充放電制御部は、
前記複数の電池のうちいずれかひとつをプライマリ電池と設定し、充電完了後の放電時に、前記プライマリ電池とされた電池を優先して放電させ、前記プライマリ電池とする電池の設定変更を、前記複数の電池の充電制御の際に行うように構成されている、電子機器。
【請求項２】
前記充放電制御部は、
充電完了時に前記プライマリ電池を満充電とし、前記複数の電池のうち前記プライマリ電池以外の電池を、満充電に満たない所定の状態まで充電するよう構成されている、請求項１に記載の電子機器。
【請求項３】
前記充放電制御部は、
前記複数の電池のうちいずれかひとつの電池への充電を開始する時に、前記プライマリ電池と設定される電池を変更して、当該変更によりプライマリ電池と設定される電池を満充電とするよう構成されている、請求項２に記載の電子機器。
【請求項４】
前記充放電制御部は、
前記複数の電池のうち前記プライマリ電池と設定される電池以外の電池のひとつを満充電とした後に、当該満充電とした電池を前記プライマリ電池に設定変更するよう構成されている、請求項２に記載の電子機器。
【請求項５】
前記充放電制御部は、
放電時に、前記プライマリ電池と設定される電池の電圧が終止電圧となるまで前記プライマリ電池から放電させ、前記プライマリ電池と設定される電池を終止電圧まで放電した後、放電させる電池を、前記複数の電池のうち前記プライマリ電池以外の電池のひとつに切り替えるよう構成されている、請求項１から４のいずれか１項に記載の電子機器。
【発明の詳細な説明】
【技術分野】
【０００１】
本開示は、スマートフォンなどの携帯可能な電子機器の電池の充放電を制御するための技術に関し、特に、充放電による電池の劣化を軽減する技術に関する。
【背景技術】
【０００２】
スマートフォン、タブレットその他の携帯可能な電子機器の電池として、リチウムイオン電池など様々な電池が使用されている。リチウムイオン電池は、ニッカド電池やニッケル水素電池などの電池と比較して、エネルギー密度が高いため、このようなリチウムイオン電池を電子機器に搭載することで、電子機器を小型化することができる。
【０００３】
電池の充電が切れると電子機器の利用が大きく制限されるため、ユーザにとって、電子機器の電池の持ちは、電子機器の使いやすさに大きく影響を及ぼす。しかし、リチウムイオン電池においても、電子機器の使用が長期化するにつれて、電池の電圧や容量が低下していくため、電子機器の使いやすさが悪化していく。リチウムイオン電池の容量が劣化する原因としては、サイクル劣化が広く知られている。サイクル劣化とは、電池を充放電する回数（サイクル）を繰り返すことによって生じる電池の容量劣化である。電池は、充電および放電のサイクルを繰り返すにつれて、電池容量と電池電圧とが低下していく。
【０００４】
また、近年、スマートフォンなどに搭載される電池の大容量化が進んでいる。スマートフォンが一般に広く流通し始めた頃は、電池が一日持つかどうかという状況もよく見られていた。近年のスマートフォンは、電池の大容量化や省電力化の技術開発が進み、３日程度、電池の充電が持つこともある。ユーザによっては、電池の大容量化が進む以前からスマートフォンを所有して、充電切れによりスマートフォンが利用できない事態を頻繁に経験していることもある。そのため、ユーザが外出中に放電させたスマートフォンに一定以上の電池残量（例えば、５０％以上の残量）があるにもかかわらず、翌日の電池切れを回避するためにユーザが電池を充電する（継ぎ足し充電）ことがある。このように、電池の残量が比較的多くあるにもかかわらず、継ぎ足し充電がなされると、電池のサイクル劣化が進んでいく。
【０００５】
電池の大容量化とともに、電池の長寿命化を図るために様々な技術が提案されている。例えば、特開２０１２−１５６０２５号公報（特許文献１）は、リチウムイオン二次電池の内部抵抗上昇を抑制し、長寿命な二次電池システムを提供するための技術を記載している。特許文献１は、リチウムイオン二次電池モジュールを、複数個、並列に接続した二次電池システムにおいて、放電中のリチウムイオン二次電池モジュールが放電停止電圧より低くなると、次に放電させるリチウムイオン二次電池モジュールに切り替えて放電を継続する。こうすることで、リチウムイオン二次電池の放電期間および放電電流を制御することができ、リチウムイオン二次電池の内部抵抗の増大を抑制して電池を長寿命化することができる。
【先行技術文献】
【特許文献】
【０００６】
【特許文献１】特開２０１２−１５６０２５号公報
【発明の概要】
【発明が解決しようとする課題】
【０００７】
特許文献１の技術によると、二次電池システムにおいて、並列に接続している電池について複数を並行して充電し、放電時は、ある電池が放電停止電圧となるまで放電を継続し、放電を停止する電圧となると放電対象の電池を切り替えるように制御している。そのため、特許文献１の技術によると、電池のサイクル劣化には配慮している。
【０００８】
しかし、リチウムイオン電池の容量が劣化する原因としては、サイクル劣化の他に保存劣化があることが知られている。保存劣化とは、充電状態の電池に発生する容量劣化である。保存劣化は、電池の充電完了後から放電を開始するまでの保存時間に依存する。特許文献１の技術によると、保存劣化については特に対処がされていない。
【０００９】
本開示は、携帯可能な電子機器に搭載される電池の容量劣化を軽減するための技術であって、電池の保存劣化を軽減するための技術を提供することを目的としている。
【課題を解決するための手段】
【００１０】
一実施形態に従う電子機器は、複数の電池と、複数の電池の充電と放電とを制御する充放電制御部とを備える。充放電制御部は、複数の電池のうちいずれかひとつをプライマリ電池と設定し、充電完了後の放電時に、プライマリ電池とされた電池を優先して放電させ、プライマリ電池とする電池の設定変更を、複数の電池の充電制御の際に行うように構成されている。
【発明の効果】
【００１１】
一実施形態によると、複数の電池（または電池モジュール）のうち、いずれかひとつをプライマリ電池と設定し、充電完了後に、プライマリ電池と設定された電池を優先して放電させ、プライマリ電池とする電池の設定を、充電制御の際に行うため、充電制御の都度、優先して放電させるプライマリ電池が設定されることとなる。そのため、特許文献１に記載の技術と比較して、一実施形態によると、複数の電池が充電された場合に、ある電池（電池モジュール）に充放電が集中して他の電池が放電されず満充電のままである可能性が小さくなるため、電池の保存劣化を軽減させることができる。
【００１２】
この発明の上記および他の目的、特徴、局面および利点は、添付の図面と関連して理解されるこの発明に関する次の詳細な説明から明らかとなるであろう。
【図面の簡単な説明】
【００１３】
【図１】関連技術における電子機器の外観と、電子機器の使用に伴う電池残量の変化とを示す図である。
【図２】実施の形態１の電子機器１０の外観と、電子機器１０の使用に伴う電池残量の変化とを示す図である。
【図３】実施の形態１における電子機器１０が搭載する複数の電池それぞれの電池の残量の変化を示す。
【図４】実施の形態１の電子機器１０の構成を示す図である。
【図５】実施の形態１の電子機器１０の充電時の動作を示すフローチャートである。
【図６】実施の形態１の電子機器１０の放電時の動作を示すフローチャートである。
【図７】実施の形態２の電子機器の充電時の動作を示すフローチャートである。
【発明を実施するための形態】
【００１４】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１５】
＜関連技術＞
まず、実施の形態の電子機器に関連する関連技術について説明する。
【００１６】
図１は、関連技術における電子機器の外観と、電子機器の使用に伴う電池残量の変化とを示す図である。図１（Ａ）は、関連技術における電子機器９の外観を示す。図１（Ｂ）は、関連技術における電子機器９が使用されるに伴って変化する電池残量を示す図である。図１（Ｂ）において、縦軸は、電子機器９の電池の残量（満充電時の電圧を１００％とする）を示し、横軸は時間を示す。
【００１７】
図１（Ａ）に示すように、関連技術の電子機器９は、例えば、スマートフォン、タブレットその他の無線通信機器であり、ユーザが携行して使用するものである。電子機器９は、正面に、ユーザの入力操作を受け付けるタッチパネル１４１と、ディスプレイ１４２とを備える。電子機器９は、ユーザの入力操作を受け付けるための物理的な入力装置である操作キー１３１と、電子機器９から音声を出力するためのスピーカ１４８とを備える。電子機器９は、ディスプレイ１４２に、電池の残量を示すアイコン５１を表示する。アイコン５１は、例えば電池を模した画像であり、ユーザに電池の残量を通知するため、電池の残量に応じてアイコン５１の表示が切り替わる。
【００１８】
図１（Ｂ）に示すように、関連技術の電子機器９は、充電が完了した満充電の状態（時刻ｔ０Ａ）から、ユーザの使用に伴って電池の電力が消費される。時刻ｔ０Ａにおいて、電子機器９は、ディスプレイ１４２にアイコン５１Ａを表示することで、電子機器９の電池が満充電であることが示されている。
【００１９】
ユーザは、電子機器９を携行して外出し、電子機器９を使用する。その結果、時刻ｔ０Ｂにおいて、電子機器９の電池の残量が５０％程度となる（アイコン５１Ｂ）。ユーザは、外出先から帰宅して電子機器９を充電する。図１（Ｂ）に示すように、ある一日（１日目）において電子機器９が使用された結果、電池の残量が５０％以上ある場合であっても、翌日（２日目）の日中における電子機器９の電池切れを回避するために、ユーザが電子機器９を毎日充電する（継ぎ足し充電）ことがある。これにより、時刻ｔ０Ｃにおいて、電子機器が満充電の状態になる（アイコン５１Ｃ）。以降、ユーザの使用に伴って電子機器９が使用されて、電池の残量が５０％程度となる（時刻ｔ０Ｄ）。ユーザは、帰宅後に、翌日における電子機器９の電池切れを回避するために、電子機器９を充電する。これにより、時刻ｔ０Ｅにおいて、電子機器９の電池が満充電の状態となる（アイコン５１Ｅ）。
【００２０】
電子機器９の電池は、例えばリチウムイオン二次電池であり、長時間の電池の使用に伴って、電池電圧や電池容量が劣化する。電池の容量劣化の原因として、充放電の回数（サイクル）を繰り返すことによるサイクル劣化と、充電完了後から放電開始までの電池の保存状態および保存時間などに依存する保存劣化があることが知られている。関連技術の電子機器９の例では、電池残量が５０％程度と比較的多く残っているにもかかわらず、ユーザが翌日の電池切れを回避するために継ぎ足し充電をする場合、充放電の回数が増えてサイクル劣化が進行しやすくなる。また、関連技術の電子機器９の例では、保存劣化については特に対処がされていない。
【００２１】
＜技術思想＞
以下、本開示で示す技術思想について説明する。本開示に示す電子機器は、複数の電池（または複数の電池セル）と、これら複数の電池の充電と放電とを制御する充放電制御部（充電制御ＩＣ）とを備える。充放電制御部は、複数の電池のうちいずれかひとつをプライマリ電池と設定する。充放電制御部は、複数の電池の充電完了後の放電時に、プライマリ電池と設定された電池を優先して放電させる。また、充放電制御部は、プライマリ電池とする電池の設定変更を、複数の電池の充電制御の際に行う。
【００２２】
こうすることで、電子機器は、プライマリ電池と設定された電池を優先して放電させるため、電池のサイクル劣化に対処することができる。また、充放電制御部による充電制御の際に、プライマリ電池とされる電池の設定が変更され、放電の対象となる電池が変更されるため、各電池が満充電のまま放電されずに保存劣化が進行する事態を軽減することができる。
【００２３】
以下の実施の形態の説明では、電子機器が２つの電池（または２つの電池セル）を備える場合について説明するが、電池の数は３つ以上であってもよい。
【００２４】
＜実施の形態１＞
図２は、実施の形態１の電子機器１０の外観と、電子機器１０の使用に伴う電池残量の変化とを示す図である。図２（Ａ）は、実施の形態１における電子機器１０の外観を示す。図２（Ｂ）は、実施の形態１における電子機器１０が使用されるに伴って変化する電池残量を示す図である。図２（Ｂ）において、縦軸は、電子機器１０の複数の電池の残量合計を示し、横軸は時間を示す。図３は、実施の形態１における電子機器１０が搭載する複数の電池それぞれの電池の残量の変化を示す。図３（Ａ）は、実施の形態１における電子機器１０が搭載する２つの電池の一方（第２の電池）の電池残量を示す。図３（Ｂ）は、実施の形態１における電子機器１０が搭載する２つの電池の他方（第１の電池）の電池残量を示す。
【００２５】
図２に示すように、実施の形態１の電子機器１０は、複数の電池（または複数の電池セル）の充放電を個別に管理する。電子機器１０は、放電時において、複数の電池のうち、いずれか１つの電池を終止電圧まで放電した後に、他の電池に切り替えて放電を継続する。これにより、例えば関連技術の電子機器９のように、電池残量が５０％程度あるにもかかわらず継ぎ足し充電がなされる場合と比べて、実施の形態１の電子機器１０は、複数の電池のうち、放電された電池のみ充電し、放電されなかった電池は充電しないという制御が可能となる。これにより、電池の充放電の回数を低減させることができ、電池のサイクル劣化を軽減することができる。また、実施の形態１の電子機器１０は、複数の電池のうち、充電する電池の順番を制御することにより、各電池が満充電である期間が複数の電池で均等になるよう制御する。これにより、電子機器１０は、電池の保存劣化を軽減することができる。
【００２６】
図２（Ａ）に示すように、実施の形態１の電子機器１０は、ディスプレイ１４２に、電池の残量を示すアイコン５２を表示する。関連技術の電子機器９と比較すると、実施の形態１の電子機器１０は、アイコン５２により、複数の電池（図２の例では、２つの電池）をディスプレイ１４２に表示している。図２（Ｂ）に示すように、電子機器１０は、複数の電池のうち、いずれかが満充電の状態（時刻ｔ１Ａ）から、ユーザの使用に伴って電池の電力が消費される。電子機器１０は、複数の電池のうち、いずれかが満充電の状態において、他の電池を、満充電としない範囲で充電する（例えば、電子機器１０は、当該他の電池を、蓄電可能な容量の９０％程度の状態となるまで充電する）。電子機器１０は、アイコン５２Ａにより、２つの電池の画像を表示しており、第１の電池（２つの電池のうち、上側の電池）の画像は、満充電に至らない所定の状態（例えば、電池の蓄電可能な容量の９０％程度）まで充電されている状態であることを示し、第２の電池（２つの電池のうち、下側の電池）の画像は満充電の状態を示している。第１の電池の残量は、図３（Ａ）と対応している。第２の電池の残量は、図３（Ｂ）と対応している。
【００２７】
ユーザは、電子機器１０を携行して外出し、電子機器１０を使用する。電子機器１０は、複数の電池のうち、まず、時刻ｔ１Ａにおいて満充電の電池（第２の電池。アイコン５２Ａに示される下側の電池）があれば、満充電の電池から電力を消費する。ある一日（１日目）において電子機器１０が使用された結果、時刻ｔ１Ｂにおいて、電子機器１０は、アイコン５２Ａにおける第２の電池の電池残量が減少している状態であることをディスプレイ１４２に表示する（アイコン５２Ｂ）。ユーザが外出先から帰宅した後に電子機器１０を充電した場合、電子機器１０は、アイコン５２Ｂに示される２つの電池の画像のうち、上側の電池の画像に対応する電池（第１の電池）を満充電の状態まで充電し、下側の電池の画像に対応する電池（第２の電池）を、満充電としない所定の状態（例えば、電池の蓄電可能な容量の９０％程度まで充電された状態）となるまで充電する。時刻ｔ１Ｃにおいて、電子機器１０は、アイコン５２Ｃの上側の電池の画像に対応する電池（第１の電池）を満充電まで充電したことと、下側の電池の画像に対応する電池（第２の電池）を、電池の蓄電可能な容量の９０％程度まで充電したことをディスプレイ１４２に表示している。
【００２８】
翌日（２日目）のユーザの電子機器１０の使用に伴って、電子機器１０は、２つの電池のうち、満充電とした電池（第１の電池）から放電する。時刻ｔ１Ｄにおいて、電子機器１０は、アイコン５２Ｄの上側の電池（第１の電池）の電池残量が減少している状態であることをディスプレイ１４２に表示する。その後、ユーザは、電子機器１０を充電する。これにより、電子機器１０は、アイコン５２Ｄに示される２つの電池のうち、下側の電池の画像に対応する電池（第２の電池）を満充電まで充電し、上側の電池の画像に対応する電池（第１の電池）を、満充電としない範囲で充電する。時刻ｔ１Ｅにおいて、電子機器１０の２つの電池のうち、アイコン５２Ｅに示される下側の電池の画像に対応する電池（第２の電池）が満充電まで充電され、上側の電池の画像に対応する電池（第１の電池）が、満充電に満たない所定の状態まで充電されている。
【００２９】
実施の形態１の電子機器１０は、このようにして複数の電池の充放電を制御しているため、関連技術と比較して、それぞれの電池の充放電のサイクル数を減らすことができ、サイクル劣化を軽減することができる。また、実施の形態１の電子機器１０は、満充電とする期間を制御することで、関連技術と比較して保存劣化を軽減することができる。
【００３０】
図４は、実施の形態１の電子機器１０の構成を示す図である。図４に示すように、電子機器１０は、第１の電池２１と、第２の電池２２と、充電制御回路２３と、システム本体２５と、ｐＭＯＳ（p-channel  metal  oxide  semiconductor）回路部３１と、ｐＭＯＳ回路部３２と、第１の電流検出抵抗５１と、第２の電流検出抵抗５２と、バッテリフューエルゲージ制御回路２７とを備える。電子機器１０は、ＡＣ（alternating  current）／ＤＣ（Direct  Current）アダプタ５が装着されることで電源電圧の供給を受けて、第１の電池２１と第２の電池２２とを充電する。システム本体２５は、電子機器１０の動作を制御するための各種回路を含む。システム本体２５は、例えば、プロセッサ、メモリその他の回路を含み、電子機器１０の動作を制御する。図４に示すように、電子機器１０は、複数の電池（第１の電池２１および第２の電池２２）を含むものとして説明しているが、これに限らず、複数の電池セルのそれぞれに対して充放電を制御することとしてもよい。
【００３１】
バッテリフューエルゲージ制御回路２７は、第１の電池２１と、第２の電池２２のそれぞれの電池の残量を算出するための回路である。バッテリフューエルゲージ制御回路２７は、各電池の残量を算出し、算出した電池残量を示す信号をシステム本体２５へ出力する。バッテリフューエルゲージ制御回路２７は、例えば、クーロン・カウンタ方式により、電池セルに流入する電流と、電池セルから流出した電流とを測定することで、電池セルの残量を算出する。また、バッテリフューエルゲージ制御回路２７は、第１の電池２１および第２の電池２２の放電特性や温度特性を測定して構築されたデータベースを記憶しており、電池セルの動作温度や経年劣化による電池セルの特性変化を考慮して、各電池セルの電池の残量を算出する。なお、図４の例では、バッテリフューエルゲージ制御回路２７は、第１の電池２１と第２の電池２２それぞれの電池の残量を算出するよう、各電池セルへ流入する電流と、各電池セルから流出する電流とを測定可能としているが、これに限らず、各電池セルへバッテリフューエルゲージ制御回路２７を配置することとしてもよい。
【００３２】
第１の電流検出抵抗５１は、第１の電池２１の電池の残量を測定するために用いられる抵抗である。第２の電流検出抵抗５２は、第２の電池２２の電池の残量を測定するために用いられる抵抗である。
【００３３】
充電制御回路２３は、複数の電池（第１の電池２１と第２の電池２２）の充電と放電とを制御する。充電制御回路２３は、各電池の残量の情報を、例えばシステム本体２５から受け付けて、各電池の残量に基づいて、各電池の充電と放電とを制御する。また、充電制御回路２３は、各電池セルの端子電圧の値を取得することができる。充電制御回路２３は、複数の電池のうちいずれかひとつをプライマリ電池と設定し、充電完了後の放電時に、プライマリ電池とされた電池を優先して放電させる。充電制御回路２３は、プライマリ電池とする電池の設定変更を、複数の電池の充電制御の際に行う。充電制御回路２３は、充電完了時にプライマリ電池を満充電とし、複数の電池のうちプライマリ電池以外の電池を、満充電に満たない所定の状態まで充電する。充放電制御回路２３は、複数の電池のうちいずれかひとつの電池への充電を開始する時に、プライマリ電池と設定される電池を変更して、変更によりプライマリ電池と設定される電池を満充電とする。
【００３４】
また、充電制御回路２３は、放電時に、プライマリ電池と設定される電池の電圧が終止電圧となるまでプライマリ電池から放電させ、プライマリ電池と設定される電池を終止電圧まで放電した後、放電させる電池を、複数の電池のうちプライマリ電池以外の電池のひとつに切り替える。
【００３５】
充電制御回路２３は、第１の電池２１および第２の電池２２を充電するための充電回路と、第１の電池２１および第２の電池２２の放電を制御してシステム本体２５へ電力を供給するための放電回路とを備える。充電制御回路２３は、信号線Ｃ１への制御信号の出力により、ｐＭＯＳ回路部３１の駆動を制御する。また、充電制御回路２３は、信号線Ｃ２への制御信号の出力により、ｐＭＯＣ回路部３２の駆動を制御する。
【００３６】
電子機器１０の充電時、電子機器１０は、ＡＣ／ＤＣアダプタ５から電源電圧の供給を受けて、充電パス４１に示すように、信号線ｐ１を介して第１の電池２１および第２の電池２２へ電力が供給される。電子機器１０の放電時、電子機器１０は、ＡＣ／ＤＣアダプタ５からの電源電圧が信号線ｐ１に供給されないよう回路を駆動し、信号線Ｃ１または信号線Ｃ２を介してｐＭＯＳ３１またはｐＭＯＳ３２を駆動する。これにより、電子機器１０は、第１の電池２１または第２の電池２２に蓄積された電力を、放電パス４２に示すようにシステム本体２５に供給する。
【００３７】
＜動作＞
図５および図６を参照して、実施の形態１の電子機器１０の充電時の動作および放電時の動作を説明する。
【００３８】
図５は、実施の形態１の電子機器１０の充電時の動作を示すフローチャートである。電子機器１０は、例えば、電子機器１０がＡＣ／ＤＣアダプタ５からの電源電圧の供給を検知することにより、図５に示す処理を開始する。なお、電子機器１０は、図４に示す第１の電池２１と第２の電池２２のいずれか一方をプライマリ電池とし、他方をセカンダリ電池として、プライマリとなる電池と、セカンダリとなる電池とがどの電池であるかの設定を記憶する。電子機器１０は、プライマリ電池とされた電池を優先して放電させる。
【００３９】
また、電子機器１０は、充電完了時にプライマリ電池となる電池を満充電とし、セカンダリ電池となる電池を満充電に満たない状態となるよう充電する。電子機器１０は、ＡＣ／ＤＣアダプタ５からの電源電圧の供給を受けて第１の電池２１および第２の電池２２への充電を開始する時に、第１の電池２１および第２の電池２２のうち、プライマリ電池とされる電池およびセカンダリ電池とされる電池の設定を入れ替えて、入れ替え後にプライマリ電池となる電池を満充電まで充電し、セカンダリ電池とされる電池を、満充電に満たない状態まで充電する。このように、セカンダリ電池を満充電まで充電せず、複数の電池のうちプライマリ電池からの放電を優先することで、電池が満充電の状態から放電が開始するまでの期間が長期化することを避ける。これにより、電子機器１０は、電池の保存劣化を軽減している。
【００４０】
ステップＳ５０１において、充電制御回路２３は、ＡＣ／ＤＣアダプタ５が装着されて電源電圧の供給を検知すると、プライマリとなる電池と、セカンダリとなる電池とがどの電池であるかの設定を読み出して、プライマリとなる電池およびセカンダリとなる電池の設定を入れ替えて記憶する。すなわち、電子機器１０は、充電前に、プライマリとなる電池が第１の電池２１であり、セカンダリとなる電池が第２の電池であるとの設定を記憶している場合、ステップＳ５０１において、プライマリとなる電池を第２の電池２２とし、セカンダリとなる電池を第１の電池２１として設定を記憶する。
【００４１】
ステップＳ５０３において、充電制御回路２３は、ステップＳ５０１でセカンダリ電池として設定された電池の充電を開始する。
【００４２】
ステップＳ５０５において、充電制御回路２３は、セカンダリ電池の電池残量を読み出して、読み出した電池残量を保持する。
【００４３】
ステップＳ５０７において、充電制御回路２３は、ステップＳ５０５で読み出したセカンダリ電池の電池残量が、閾値（例えば、充電可能な容量の９０％程度）に達したか否かを判断する。すなわち、充電制御回路２３は、セカンダリ電池の電池残量と、閾値とを比較して、セカンダリ電池の電池残量が閾値以上になっているか否かを判断する。セカンダリ電池の電池残量が閾値に達している場合（ステップＳ５０７においてＹＥＳ）、充電制御回路２３は、ステップＳ５０９の処理を行い、そうでない場合（ステップＳ５０７においてＮＯ）、ステップＳ５０５の処理を行う。
【００４４】
ステップＳ５０９において、充電制御回路２３は、ステップＳ５０１でプライマリ電池として設定された電池の充電を開始する。
【００４５】
ステップＳ５１１において、充電制御回路２３は、プライマリ電池の電池残量を読み出して、読み出した電池残量を保持する。
【００４６】
ステップＳ５１３において、充電制御回路２３は、ステップＳ５１１で読み出したプライマリ電池の電池残量が、満充電に達したか否かを判断する。プライマリ電池の電池残量が満充電に達している場合（ステップＳ５１３においてＹＥＳ）、充電制御回路２３は、充電時の処理を終了し、そうでない場合（ステップＳ５１３においてＮＯ）、ステップＳ５１１の処理を行う。
【００４７】
図６は、実施の形態１の電子機器１０の放電時の動作を示すフローチャートである。電子機器１０は、放電時に、第１の電池２１および第２の電池２２のうち、いずれか一方から放電する。電子機器１０は、プライマリ電池とされる電池の電圧が終止電圧となるまで、セカンダリ電池から放電させずプライマリ電池から放電させる。電子機器１０は、プライマリ電池とされる電池を終止電圧まで放電させると、セカンダリ電池から放電する。
【００４８】
ステップＳ６０３において、充電制御回路２３は、プライマリ電池からの放電を開始する。
【００４９】
ステップＳ６０５において、充電制御回路２３は、プライマリ電池の電圧値を読み出して、読み出した電圧値を保持する。
【００５０】
ステップＳ６０７において、充電制御回路２３は、ステップＳ６０５で読み出したプライマリ電池の電圧が、終止電圧まで降下したか否かを判定する。プライマリ電池の電圧が降下して終止電圧に達した場合（ステップＳ６０７においてＹＥＳ）、充電制御回路２３は、ステップＳ６０９の処理を行い、そうでない場合（ステップＳ６０７においてＮＯ）、ステップＳ６０５の処理を行う。
【００５１】
ステップＳ６０９において、充電制御回路２３は、プライマリ電池からの放電を停止し、セカンダリ電池からの放電を開始する。
【００５２】
ステップＳ６１１において、充電制御回路２３は、セカンダリ電池の電圧値を読み出して、読み出した電圧値を保持する。
【００５３】
ステップＳ６１３において、充電制御回路２３は、ステップＳ６１１で読み出したセカンダリ電池の電圧が、終止電圧まで降下したか否かを判定する。セカンダリ電池の電圧が降下して終止電圧に達した場合（ステップＳ６１３においてＹＥＳ）、充電制御回路２３は、セカンダリ電池からの放電を停止し、そうでない場合（ステップＳ６１３においてＮＯ）、ステップＳ６１１の処理を行う。
【００５４】
実施の形態１の電子機器１０は、このように複数の電池の充放電を制御する。これにより、電子機器１０の使用者に負担をかけることなく、電子機器１０に搭載される電池（リチウムイオン電池など）の容量劣化の原因となる保存劣化とサイクル劣化とを軽減して、電池の寿命を長くすることができる。
【００５５】
＜実施の形態２＞
図７を参照して、実施の形態２の電子機器について説明する。
【００５６】
図７は、実施の形態２の電子機器の充電時の動作を示すフローチャートである。実施の形態１の電子機器１０は、充電完了時にプライマリ電池となる電池を満充電とし、セカンダリ電池となる電池を満充電に満たない状態まで充電するよう構成されている。これに対し、実施の形態２の電子機器は、電源電圧の供給を受けて、セカンダリとされる電池を満充電とし、プライマリとされる電池を満充電に満たない状態まで充電した後に、プライマリとされる電池およびセカンダリとされる電池の設定を入れ替える。実施の形態２の電子機器の充放電制御回路２３は、複数の電池のうちプライマリ電池と設定される電池以外の電池のひとつを満充電とした後に、満充電とした電池をプライマリ電池に設定変更する。すなわち、電子機器は、充電完了時に、プライマリ電池となる電池を満充電とし、セカンダリ電池となる電池を満充電に満たない状態まで充電するよう構成されており、放電時に、プライマリ電池とされた電池を優先して放電させる。
【００５７】
ステップＳ７０３において、充電制御回路２３は、プライマリ電池として設定された電池の充電を開始する。
【００５８】
ステップＳ７０５において、充電制御回路２３は、プライマリ電池の電池残量を読み出して、読み出した電池残量を保持する。
【００５９】
ステップＳ７０７において、充電制御回路２３は、ステップＳ７０５で読み出したプライマリ電池の電池残量が、閾値（例えば、充電可能な容量の９０％程度）に達したか否かを判断する。すなわち、充電制御回路２３は、プライマリ電池の電池残量と、閾値とを比較して、プライマリ電池の電池残量が閾値以上になっているか否かを判断する。プライマリ電池の電池残量が閾値に達している場合（ステップＳ７０７においてＹＥＳ）、充電制御回路２３は、ステップＳ７０９の処理を行い、そうでない場合（ステップＳ７０７においてＮＯ）、ステップＳ７０５の処理を行う。
【００６０】
ステップＳ７０９において、充電制御回路２３は、セカンダリ電池として設定された電池の充電を開始する。
【００６１】
ステップＳ７１１において、充電制御回路２３は、セカンダリ電池の電池残量を読み出して、読み出した電池残量を保持する。
【００６２】
ステップＳ７１３において、充電制御回路２３は、ステップＳ７１１で読み出したセカンダリ電池の電池残量が、満充電に達したか否かを判断する。セカンダリ電池の電圧が満充電に達している場合（ステップＳ７１３においてＹＥＳ）、充電制御回路２３は、充電時の処理を終了し、そうでない場合（ステップＳ７１３においてＮＯ）、ステップＳ７１１の処理を行う。
【００６３】
ステップＳ７１５において、充電制御回路２３は、プライマリとなる電池と、セカンダリとなる電池とがどの電池であるかの設定を読み出して、プライマリとなる電池と、セカンダリとなる電池の設定を入れ替えて記憶する。
【００６４】
実施の形態２の電子機器によると、使用者に負担をかけることなく、電子機器に搭載される電池（リチウムイオン電池など）の容量劣化の原因となる保存劣化とサイクル劣化とを軽減して、電池の寿命を長くすることができる。
【００６５】
今回開示された実施の形態はすべての点で例示であって制限的なものでないと考えられるべきである。この発明の範囲は上記した説明ではなくて特許請求の範囲によって示され、特許請求の範囲と均等の意味および範囲内でのすべての変更が含まれることが意図される。
【符号の説明】
【００６６】
５  ＡＣ／ＤＣアダプタ、９，１０  電子機器、２１  第１の電池、２２  第２の電池、２３  充電制御回路、２５  システム本体、３１，３２  ｐＭＯＳ回路部、４１  充電パス、４２  放電パス、５１，５２  アイコン、１４１  タッチパネル、１４２  ディスプレイ。
【図１】
2016144256.tif 000003
【図２】
2016144256.tif 000004
【図３】
2016144256.tif 000005
【図４】
2016144256.tif 000006
【図５】
2016144256.tif 000007
【図６】
2016144256.tif 000008
【図７】
2016144256.tif 000009